(57)【特許請求の範囲】
【請求項１】
光アダプタを介して偏波面保存光ファイバ同士を突き合わせ接続する光コネクタにおいて、上記偏波面保存光ファイバの端面が先端に露出するように把持する把持部と、該把持部を所定距離だけ移動自在に保持すると共に先端側に付勢するホルダと、上記把持部が上記ホルダに対してねじれるのを防止するねじれ防止機構と、上記光アダプタのキー溝と嵌合する突起が一体的に形成され上記ホルダを収納するフレームと、該フレームの外周に設けられ上記アダプタに螺合することにより、上記把持部を上記アダプタに接続する接続ナットとを備え、上記フレームの外周に貫通穴が形成され、上記接続ナットにスリットが形成され、該スリット及び上記貫通穴を利用して上記フレームと上記ホルダとが接着剤またはスポット溶接で固定されたことを特徴とする偏波面保存光ファイバ用光コネクタ。
【請求項２】
上記ねじれ防止機構は、上記把持部の外周に形成されたツバと、該ツバに軸方向に形成された溝と、上記ホルダの外周に形成され上記溝内を摺動する突起とで構成されている請求項１または２に記載の偏波面保存光ファイバ用光コネクタ。
【請求項３】
上記ねじれ防止機構は、上記把持部の外周に形成されたツバと、該ツバに径方向に設けられた突起と、上記ホルダの外周に軸方向に形成され上記突起が摺動する溝とで構成されている請求項１または２に記載の偏波面保存光ファイバ用光コネクタ。
【請求項４】
上記ねじれ防止機構は、上記把持部の外周に形成されたツバと、該ツバに軸方向に形成されたピンガイド穴と、上記ホルダの端部に軸方向に形成され上記ピンガイド内を摺動するピンとで構成されている請求項１または２に記載の偏波面保存光ファイバ用光コネクタ。
【発明の詳細な説明】
【０００１】
【発明の属する技術分野】
本発明は、偏波面保存光ファイバ用光コネクタに関する。
【０００２】
【従来の技術】
図６は光コネクタ接続方法を示す拡散分解図である。
【０００３】
光アダプタ１の両側にはキー溝２ａ、２ｂを有する一対のネジ部３ａ、３ｂが形成されている。光コネクタ４、５は光アダプタ１の両側からキー溝２ａ、２ｂに合うように光コネクタ４、５の突起６、７をそれぞれ差し込んで突き合わせて接続ナット（袋ナット）８、９を螺合することによりフェルール１０、１１同士が結合するようになっている。
【０００４】
図７（ａ）は図６に示した従来の光コネクタの側面図であり、図７（ｂ）は図７（ａ）の破断図である。図８は図７（ａ）、（ｂ）に示した光コネクタに用いられるホルダ部の拡散分解図である。図９は図７（ａ）、（ｂ）に示した光コネクタに用いられるフレームの外観斜視図、図１０は図７（ａ）、（ｂ）に示した光コネクタに用いられるツメ付きリングの外観斜視図である。
【０００５】
図８に示すツバ付きスリーブ１２にフェルール１１が圧入固定されている。偏波面保存光ファイバ（以下「ＰＭＦ」という。）心線１３は、先端部分の被覆を除去してＰＭＦ素線１４とし、フェルール１１の端面に露出するようにツバ付きスリーブ１２とフェルール１１内に接着剤１５で固定されている。フェルール１１の端面は研磨加工により鏡面仕上げされている。
【０００６】
スプリング１６をツバ付きスリーブ１２とホルダ１７との間にセットし、図１０に示すツメ付きリング１８を、ツメ１８ａが溝１９ａに入るようにフレーム１９に嵌め込み、フレーム１９内にフェルール１１とホルダ１７とを挿入し、フレーム１９とホルダ１７との間に位置するするように接続ナット９をセットした後、フレーム１９をホルダ１７のネジ部１７ａに回転させながら螺合して固定される。このとき、予めケブラ（登録商標）２０やＰＶＣシース２１はリング２２とリング２３とでホルダ１７の後部（図の右側）で機械的にカシメ固定される。ゴムフード２４で覆われて光コネクタ５が得られる。尚、２６はファイバコードシースである。また、光コネクタ４も光コネクタ５と同様の構造を有している。
【０００７】
このようにして得られた光コネクタ４、５は、フェルール１１の高精度化によって低損失で接続できるようになっている。
【０００８】
また、光コネクタ４、５は、使用中にフェルール１１が回転しないように（ねじれないように）、フレーム１９の外周に中心からみて６０度ごとに形成された溝１９ａに嵌合されたツメ付きリング１９と、光アダプタ１のネジ部３ａ（３ｂ）のキー溝２ａ（２ｂ）とが嵌合するようになっている。すなわち、光コネクタ４（５）の突起６（７）と、光アダプタ１のキー溝２ａ（２ｂ）とが嵌合してＰＭＦ素線１４が回転しないようになっている。
【０００９】
さらにホルダ１７に形成された一対の突起１７ｂが、ツバ付きスリーブ１２のツバ１２ａに形成された一対の軸方向の溝１２ｂ内を摺動することによって、ツバ付きスリーブ１２やＰＭＦ素線１４が回転しないようになっている。
【００１０】
したがって、ＰＭＦ素線１４の偏心があった場合には、組立時に６０度毎にツメ付きリング１８を嵌め直して調整できるため、回転特性に対して６０度の範囲ではあるが、最も低損失で接続できる位置に設定できるようになっている。
【００１１】
【発明が解決しようとする課題】
ところで、一般に光コネクタには、マルチモードファイバ（以下「ＭＭＦ」という。）やシングルモードファイバ（以下「ＳＭＦ」という。）が主に使用される。
【００１２】
図１１（ａ）はＭＭＦの断面図であり、図１１（ｂ）はＳＭＦの断面図である。
【００１３】
ＭＭＦ２７やＳＭＦ２８は外径φが０．１２５ｍｍでコア２７ａ（２８ａ）とクラッド２７ｂ（２８ｂ）とが同心円上に形成されたものである。このような光ファイバ２７、２８に直線偏光を入射しても偏波は保持されず、円偏光として回転するため、センサー用には適さないので主に通信用として使用される。
【００１４】
一方、光ファイバにはＭＭＦ２７やＳＭＦ２８の他に偏波面保存光ファイバ  （ＰＭＦ）１４−１、１４−２がある。
【００１５】
図１１（ｃ）、（ｄ）は偏波面保存光ファイバ（ＰＭＦ）の断面図である。
【００１６】
図１１（ｃ）に示すＰＭＦ１４−１はクラッド１４−１ａの外周に応力付与部１４−１ｂが楕円断面形状に形成されたものであり、図１１（ｄ）に示すＰＭＦ１４−２はクラッド１４−２ａの両側に円形断面形状の応力付与部１４−２ｂが平行に形成されたものである。尚、１４−１ｃ、１４−２ｃはコアを示し、１４−１ｄ、１４−２ｄはサポート部をそれぞれ示す。
【００１７】
これらのＰＭＦ１４−１、１４−２は、いずれも応力付与部１４−１ｂ、１４−２ｂによって楕円の短軸方向と長軸方向とが発生し、ある軸方向に対してのみ偏波面が保存される特長がある。例えばＰＭＦ１４−１同士を光コネクタ接続して一方のＰＭＦ１４−１に長軸方向に直線偏光を入射した場合、他方のＰＭＦ１４−１の長軸方向が一致すれば偏光特性は損なわれずに光が伝搬するが、両ＰＭＦ１４−１の偏波面が９０度交差するように接続した場合には偏光が損なわれ光が伝搬しない。
【００１８】
また、ＰＭＦ１４−１に僅かな歪み等が加わると偏波が敏感に変化し、ＰＭＦ１４−１の一端に入射された光が変化して他端から出射するので、センサ用に使用できる。
【００１９】
ここで、従来の光コネクタは、ＭＭＦやＳＭＦ用であるため、中心軸のオフセット、すなわちファイバコア中心の偏心をできるだけ小さくするようになっており、回転に関しては６０度毎にしか調整できずラフな構造であった。
【００２０】
さらに、光コネクタ接続するときの位置合せ基準は、図６に示すように光アダプタ１のキー溝２ａ、２ｂであり、このキー溝２ａ、２ｂに嵌合する光コネクタ４、５の突起７である。
【００２１】
従って、ＰＭＦ素線１４の偏波面軸は突起７に対して一直線に合わせるか、９０度ずらした位置に設定する必要がある。しかも、光コネクタ４、５の端面での反射を防止するため、端面を８度斜め研磨する必要がある。この場合には、光コネクタ４、５のフェルール１１の端面は突起７に対して偏波面が９０度になるように正確に位置合せしなければならない。この位置合せが正確でないと、ＰＭＦ素線１４の端面同士を突き合わせたときに隙間が生じてしまい損失が大きくなってしまう。
【００２２】
しかしながら、従来の光コネクタでは偏波面軸方向を合わせる手段がないため、ＰＭＦ素線１４をフェルール１１に固定するとき、図７に示したツメ付きリング１８の突起７の方向と、ＰＭＦ素線１４の偏波面軸とを一致させることが不可能であった。また、ツバ付きスリーブ１２の溝１２ｂと、ホルダ１７の突起１７ｂとの嵌合（摺動）においてガタがあり、さらに光アダプタ１のキー溝２ａ、２ｂとツメ付きリング１８の突起７との嵌合においてガタがあると偏波面がずれてしまい、光学特性として要求される、消光比と、光コネクタ着脱時の再現性が非常に悪かった。
【００２３】
一般に、ＰＭＦをセンサ等に使用する場合には、接続点等でミスマッチを考慮しても、消光比は１８ｄＢ以上は必要である。
【００２４】
そこで、本発明の目的は、上記課題を解決し、偏波面軸を一致させることができる低損失な偏波面保存光ファイバ用光コネクタを提供することにある。
【００２５】
【課題を解決するための手段】
上記目的を達成するために本発明の偏波面保存光ファイバ用光コネクタは、光アダプタを介して偏波面保存光ファイバ同士を突き合わせ接続する光コネクタにおいて、偏波面保存光ファイバの端面が先端に露出するように把持する把持部と、把持部を所定距離だけ移動自在に保持すると共に先端側に付勢するホルダと、把持部がホルダに対してねじれるのを防止するねじれ防止機構と、光アダプタのキー溝と嵌合する突起が一体的に形成されホルダを収納するフレームと、フレームの外周に設けられアダプタに螺合することにより、把持部をアダプタに接続する接続ナットとを備え、フレームの外周に貫通穴が形成され、接続ナットにスリットが形成され、スリット及び貫通穴を利用してフレームとホルダとが接着剤またはスポット溶接で固定されたものである。
【００２７】
上記構成に加え本発明の偏波面保存光ファイバ用光コネクタのねじれ防止機構は、把持部の外周に形成されたツバと、ツバに軸方向に形成された溝と、ホルダの外周に形成され溝内を摺動する突起とで構成されていてもよい。
【００２８】
上記構成に加え本発明の偏波面保存光ファイバ用光コネクタのねじれ防止機構は、把持部の外周に形成されたツバと、ツバに径方向に設けられた突起と、ホルダの外周に軸方向に形成され突起が摺動する溝とで構成されていてもよい。
【００２９】
上記構成に加え本発明の偏波面保存光ファイバ用光コネクタのねじれ防止機構は、把持部の外周に形成されたツバと、ツバに軸方向に形成されたピンガイド穴と、ホルダの端部に軸方向に形成されピンガイド内を摺動するピンとで構成されていてもよい。
【００３０】
ここで、従来の光コネクタで偏波面軸を一致させるには、まず、任意の偏波面軸に対して９０度の位置に高精度でツメ付きリングが位置するように固定しなければならない。しかし従来の光コネクタは６０度間隔でしか位置合せできないので、３６０度任意にスムースに回転でき、かつ、移動しないように位置合せ用突起と、フレームと、ホルダとが固定されなければならない。また、光アダプタ側の溝に対して突起部にガタが生じないようにする必要がある。さらに、フェルールが圧入されたツバ付きスリーブの溝やホルダの突起部にもガタが生じないようにしなければならない。但し、フェルールはコネクタ接続のときに互いにスプリングアクションによって常に端面同士が接触していなければならない。端面が離れると、損失や反射が大きくなってしまうため避けなければならない。
【００３１】
以上のことを鑑み、従来はフレームとツメ付きリングとを別々の部品を組合わせていたが、本発明ではフレームの先端部に突起部が一体化している。さらにフレームの突起部と反対側の外周面には径方向に貫通穴が形成されている。
【００３２】
本発明によれば、フレームと突起部とが一体化されているので、従来のようにガタによる偏波面軸のずれをなくすことができる。また、フレームの後部外周面に形成された貫通穴によってフレームをスムースに回転させながら偏波面軸と突起とが９０度になったとき、ＹＡＧレーザによるフレームとホルダとの溶接固定もしくは穴に接着剤を注入して固定することができる。尚、この偏波面軸合せは光コネクタ組立が完成した後、作業できるように、最外部の接続ナットにはフレームの貫通穴が見えるようにスリットが形成されている。
【００３３】
すなわち、本発明によれば、フレームをホルダに螺合させることにより、偏波面保存光ファイバと突起との角度を無段階で調整することができるので、偏波面軸を一致させることが容易となり、低損失な光コネクタが得られる。また、フレームの外周に貫通穴が形成され、接続ナットにスリットが形成され、スリット及び貫通穴を利用してフレームとホルダとを接着剤またはスポット溶接で固定することにより、偏波面保存光ファイバと突起との角度が最適な状態を保持することができる。
【００３４】
【発明の実施の形態】
以下、本発明の実施の形態を添付図面に基づいて詳述する。
【００３５】
図１（ａ）は本発明の偏波面保存光ファイバ用光コネクタの一実施の形態を示す側面図であり、図１（ｂ）は図１（ａ）の破断図である。図２は図１（ａ）、（ｂ）に示した光コネクタに用いられるホルダ部の拡散分解図である。図３は図１（ａ）、（ｂ）に示した光コネクタに用いられる突起付きフレームの外観斜視図である。尚、図７（ａ）、（ｂ）に示した従来例と同様の部材には共通の符号を用いた。
【００３６】
本偏波面保存光ファイバ用光コネクタ３０は、光アダプタ１を介してＰＭＦ同士を突き合わせ接続する光コネクタであって、ＰＭＦ素線１４の端面が先端に露出するように把持する把持部３１と、把持部３１を所定距離だけ移動自在に保持すると共に先端側に付勢する保持するホルダ（図８に示した従来例のホルダ１７より肉厚である。）１７−１と、把持部３１がホルダ１７−１に対してねじれるのを防止するねじれ防止機構３２と、光アダプタ１のキー溝２ａ（２ｂ）と嵌合する突起３３が一体的に形成されホルダ１７−１を収納するフレーム３４と、フレーム３４の外周に設けられアダプタ１に螺合することにより、把持部３１をアダプタ１に接続する接続ナット（袋ナット）３５とで構成されたものである。
【００３７】
把持部３１はＰＭＦ素線１４の端面が先端側に露出するように保持するフェルール１１と、ＰＭＦ素線１４が挿通するようにセラミックスからなるフェルール１１に圧入されるツバ付きスリーブ１２とで構成されている。
【００３８】
ねじれ防止機構３２は、ツバ付きスリーブ１２−１のツバ１２−１ａに軸方向に形成された一対の溝（図８に示した従来例より深い。）１２−１ｂと、ホルダ１７−１に形成され溝１２−１ｂ内を摺動する一対の突起１７−１ｂとで構成されている。
【００３９】
ツバ付きスリーブ１２−１及びホルダ１７−１においては、フェルール１１のスプリングアクションを必要とするため、軸方向にスライドしなければならない。このため、ツバ付きスリーブ１２−１とホルダ１７−１とは完全に固定できないので、溝１２−１ｂとホルダ１７−１の突起１７−１ｂにガタが生じないように高精度に加工されている。
【００４０】
フレーム３４の外周には径方向に例えば９０度間隔で貫通穴３６が形成されている。接続ナット３５の外周にはスリット３７が形成され、貫通穴３６及びスリット３７を利用してホルダ１７とフレーム３４とが接着剤またはスポット溶接で固定されるようになっている。
【００４１】
ホルダ１７及びＰＭＦ心線１３はＰＶＣシース２１及びゴムフード２４で覆われている。
【００４２】
次に図１（ａ）、（ｂ）に示した偏波面保存光ファイバ用光コネクタの組立方法について述べる。
【００４３】
まずＰＭＦ心線１３を、ケブラ２０と共にＰＶＣシース２１で被覆し、光コード化する。このＰＶＣシース２１を光コネクタ取り付けに必要な長さだけ剥がす。
【００４４】
次に、ＰＭＦ心線１３のナイロン被覆を除去し、ＰＭＦ素線１４とする。ＰＶＣシース２１側には、予め厚肉のホルダ１７−１とスプリング１６とを挿入しておく。
【００４５】
予め、フェルール１１が圧入固定されたツバ付きスリーブ１２−１に、エポキシ系接着剤でＰＭＦ心線１３及びＰＭＦ素線１４を固定する。
【００４６】
フェルール１１の端面を鏡面研磨して仕上げる。
【００４７】
予めＰＶＣシース２１側に挿入しておいたホルダ１７−１をスプリング１６と共に前方（図では左側）に戻す。ホルダ１７−１の後方（図では右側）でケブラ２０をリング２２で機械的にカシメ固定する。同様に、ＰＶＣシース２１をリング２３で機械的にカシメ固定する。
【００４８】
次に、ホルダ１７−１の突起部１７−１ｂをツバ付きスリーブ１２−１の溝１２−１ｂにスプリング１６を挟んだ状態で嵌合させ、接続ナット３５をフレーム３４で押えるようにしながら、フレーム３４をホルダ１７−１のネジ部１７−１ａに回転させながら接続する。この時点では、ＰＭＦ素線１４の偏波面軸とフレーム３４の突起との位置関係は９０度にはなっていないため、正確に９０度になるようにフレーム３４を回転させる。
【００４９】
フレーム３４の突起３３とＰＭＦ素線１４の偏波面軸とは短軸方向でも、長軸方向でもいずれでも良いが、長軸方向を突起に合わせた方がより精度を高くすることができる。
【００５０】
位置関係が９０度になった時点で、接続ナット３５のスリット３７からフレーム３４の貫通穴３６に瞬間接着剤を垂らして瞬時に仮固定する。仮固定後、特性を測定し、問題がなければＹＡＧレーザを接続ナット３５のスリット３７から貫通穴３６に照射してフレーム３４とホルダ１７−１とを溶接固定する。
【００５１】
偏波面軸合せを含め溶接固定する時間は、数十秒の短時間で簡単に作業できるため、光コネクタ３０の組立が安価になる。
【００５２】
尚、ＹＡＧレーザ溶接固定の他にエポキシ系接着剤による固定でもよい。
【００５３】
偏波面軸合せは、フェルール１１側正面より拡大鏡又はＴＶカメラを用いて画像処理する方法でもよいが、マスターになる光コネクタ（突起に対して偏波面が９０度のもの）と、光アダプタとを製作し、これらと直接接続して消光比を測定しながら被測定光コネクタのフレーム３４を回転させながら、消光比が最も良い位置を探査する。消光比が最も良い位置が光コネクタ同士の偏波面軸が一致していることになり、これはフレーム３４の突起３３と９０度の位置関係になっていることにもなる。その後、溶接固定か接着固定すればよい。
【００５４】
拡大鏡等を用いる方法より、マスター光コネクタを使用する組立方法の方が、より作業効率が良い。このＰＭＦ用光コネクタ同士を接続する場合には、光アダプタを使用するが、本発明のフレームの突起は、フレームと一体加工品であるため、従来のようにガタの発生は無い。また、突起は肉厚になっているため、高精度に加工できるので、光アダプタ１のキー溝２ａ（２ｂ）にガタ無く嵌合でき、光コネクタの周方向のずれによる消光比の劣化を防止することができる。
【００５５】
同様に、光コネクタ３０のツバ付きスリーブ１２−１の溝１２−１ｂとホルダ１７−１の突起部１７−１ｂとの嵌合（摺動）については、突起部１７−１ｂが厚肉のため、高精度に加工ができ、嵌合時にガタが無く、径方向のガタによる消光比の劣化を防止することができる。
【００５６】
図４は本発明の偏波面保存光ファイバ用光コネクタに用いられるホルダ周辺の他の実施の形態を示す拡散分解図である。
【００５７】
図１に示した実施の形態との相違点は、ねじれ防止機構が異なっている点である。
【００５８】
すなわち、図４に示すねじれ防止機構は、ツバ付きスリーブ１２−２のツバ１２−２ａに径方向に形成された一対の突起１２−２ｂと、ホルダ１７−２の外周に軸方向に形成され突起１２−２ｂが摺動する一対の溝１７−２ｂとで構成されている。
【００５９】
このようなねじれ防止機構を有する光コネクタを形成しても、図１に示した光コネクタと同様に径方向のずれが防止され消光比の劣化を防止することができる。
【００６０】
図５は本発明の偏波面保存光ファイバ用光コネクタに用いられるホルダ周辺の他の実施の形態を示す拡散分解図である。
【００６１】
図１に示した実施の形態との相違点は、ねじれ防止機構が異なっている点である。
【００６２】
すなわち、図５に示すねじれ防止機構は、ツバ付きスリーブ１２−３のツバ１２−３ａに軸方向に形成されたピンガイド穴１２−３ｂと、ホルダ１７−３の端部に軸方向に形成されピンガイド穴１２−３ｂ内を摺動するピン１７−３ｂとで構成されている。
【００６３】
このようなねじれ機構を有する光コネクタを形成しても、図１に示した光コネクタと同様に径方向のずれが防止され消光比の劣化を防止することができる。
【００６４】
ここで、ツバ付きスリーブ１２−１〜１２−３及びホルダ１７−１〜１７−３は金属又はプラスチックのいずれの材料を用いてもよい。但し、後作業においてフレーム３４とＹＡＧレーザ溶接する場合は金属を用いる必要がある。また、ピン１７−３ｂは細いので、金属が好ましい。さらに、本実施の形態では溝１２−１ｂ、１７−２ｂ、突起１２−１ｂ、１２−２ｂ、ピン１７−３ｂ、ピンガイド穴１２−３ｂ等の数が２個（一対）の場合で説明したが、本発明はこれに限定されるものではなく３個以上であってもよい。
【００６５】
以上において、本発明によれば、
(1) 従来の光コネクタよりも消光比が優れている。
【００６６】
(2) 短時間に簡単に偏波面軸合せができるため安価になる。
【００６７】
(3) 径方向のガタが無いので、光コネクタ抜き差しにおける再現性に優れている。
【００６８】
(4) 信頼性が高い。
【００６９】
【発明の効果】
以上要するに本発明によれば、次のような優れた効果を発揮する。
【００７０】
偏波面軸を一致させることができる低損失な偏波面保存光ファイバ用光コネクタの提供を実現することができる。
【図面の簡単な説明】
【図１】（ａ）は本発明の偏波面保存光ファイバ用光コネクタの一実施の形態を示す側面図であり、（ｂ）は（ａ）の破断図である。
【図２】図１（ａ）、（ｂ）に示した光コネクタに用いられるホルダ部の拡散分解図である。
【図３】図１（ａ）、（ｂ）に示した光コネクタに用いられる突起付きフレームの外観斜視図である。
【図４】本発明の偏波面保存光ファイバ用光コネクタに用いられるホルダ周辺の他の実施の形態を示す拡散分解図である。
【図５】本発明の偏波面保存光ファイバ用光コネクタに用いられるホルダ周辺の他の実施の形態を示す拡散分解図である。
【図６】光コネクタ接続方法を示す拡散分解図である。
【図７】（ａ）は図６に示した従来の光コネクタの側面図であり、（ｂ）は（ａ）の破断図である。
【図８】図７（ａ）、（ｂ）に示した光コネクタに用いられるホルダ部の拡散分解図である。
【図９】図７（ａ）、（ｂ）に示した光コネクタに用いられるフレームの外観斜視図である。
【図１０】図７（ａ）、（ｂ）に示した光コネクタに用いられるツメ付きリングの外観斜視図である。
【図１１】（ａ）はＭＭＦの断面図であり、（ｂ）はＳＭＦの断面図であり、（ｃ）、  （ｄ）は偏波面保存光ファイバの断面図である。
【符号の説明】
１４  偏波面保存光ファイバ（ＰＭＦ）素線
１７−１  ホルダ
３０  光コネクタ
３３  突起
３４  フレーム
３５  接続ナット
３６  貫通穴
３７  スリット
【図１】
0003755393.tif 000002
【図２】
0003755393.tif 000003
【図３】
0003755393.tif 000004
【図４】
0003755393.tif 000005
【図５】
0003755393.tif 000006
【図６】
0003755393.tif 000007
【図７】
0003755393.tif 000008
【図８】
0003755393.tif 000009
【図９】
0003755393.tif 000010
【図１０】
0003755393.tif 000011
【図１１】
0003755393.tif 000012